(57)【要約】  プラグハウジング(５)のプラグ側面(５０ａ)には、爪部(５３)が設けられている。爪部(５３)は、回路基板(１０)のコネクタ搭載面(１０ａ)から離れる方向を向くプラグロック面(６０)を有する。レセプタクルコネクタ(３)の補助金具(９)は、回路基板(１０)のコネクタ搭載面(１０ａ)に近づく方向を向くと共に、嵌合状態でプラグロック面(６０)と対向するレセプタクルロック面(３８)を有する。プラグロック面(６０)は、ロック維持面(６５)とロック解除面(６６)を有する。電線方向に対して直交する断面において、基準面(Q)とロック維持面(６５)との間の角度をロック維持角度(θ１)とし、基準面(Q)とロック解除面(６６)との間の角度をロック解除角度(θ２)とすると、ロック維持角度(θ１)はロック解除角度(θ２)よりも小さい。
2013145527.tif 000002
【特許請求の範囲】
【請求項１】
電線が取り付けられるプラグコンタクトと、前記プラグコンタクトを保持するプラグハウジングと、を有するプラグコネクタと、
前記プラグコンタクトと対応するレセプタクルコンタクトと、前記レセプタクルコンタクトを保持するレセプタクルハウジングと、を有し、基板のコネクタ搭載面に搭載されるレセプタクルコネクタと、
を備え、
前記プラグコネクタを前記レセプタクルコネクタへ嵌合させることで、前記プラグコンタクトが前記レセプタクルコンタクトに接触する、電線対基板コネクタであって、
前記プラグコネクタが前記レセプタクルコネクタに嵌合された状態としての嵌合状態において、前記電線の前記プラグコネクタ近傍の部分である近傍部は、前記基板の前記コネクタ搭載面に沿って延びており、
前記プラグコネクタを前記レセプタクルコネクタへ嵌合させる方向としての嵌合方向は、前記基板の前記コネクタ搭載面に近づく方向であり、
前記プラグハウジングは、前記プラグハウジングの側面としてのプラグ側面を有し、
前記レセプタクルコネクタは、前記嵌合状態で、前記プラグ側面に対向する側面対向部を有し、
前記プラグ側面には、前記側面対向部側に突出する爪部が設けられており、
前記爪部は、前記基板の前記コネクタ搭載面から離れる方向を向くと共に、前記嵌合状態における前記近傍部の長手方向として特定される電線方向に延びるプラグロック面を有し、
前記レセプタクルコネクタの前記側面対向部は、前記基板の前記コネクタ搭載面に近づく方向を向くと共に、前記嵌合状態で前記プラグロック面と対向するレセプタクルロック面を有し、
前記プラグロック面は、前記電線方向のうち前記プラグコネクタから前記電線を見る方向としてのコネクタ電線方向側に配置されるロック維持面と、前記コネクタ電線方向と反対の方向である電線コネクタ方向側に配置されるロック解除面と、を有し、
前記電線方向に対して直交する断面において、前記プラグ側面のうち前記爪部よりも前記基板の前記コネクタ搭載面から遠い側の部分である基準面と前記ロック維持面との間の角度をロック維持角度θ１とし、前記基準面と前記ロック解除面との間の角度をロック解除角度θ２とすると、ロック維持角度θ１はロック解除角度θ２よりも小さい、
電線対基板コネクタ。
【請求項２】
請求項１に記載の電線対基板コネクタであって、
ロック解除角度θ２は、９０度よりも大きい、
電線対基板コネクタ。
【請求項３】
請求項１又は２に記載の電線対基板コネクタであって、
ロック維持角度θ１は、９０度以下である、
電線対基板コネクタ。
【請求項４】
請求項１〜３の何れかに記載の電線対基板コネクタであって、
前記ロック解除面は、前記電線コネクタ方向に向かうにつれて前記プラグ側面に近づくように傾斜している、
電線対基板コネクタ。
【請求項５】
請求項１〜３の何れかに記載の電線対基板コネクタであって、
前記ロック解除面は、前記ロック維持面の、前記プラグ側面から遠い側の縁に接続している、
電線対基板コネクタ。
【請求項６】
請求項１〜５の何れかに記載の電線対基板コネクタであって、
前記爪部の前記電線コネクタ方向側の端部には、前記電線コネクタ方向に向かうにつれて前記プラグ側面に近づくように傾斜する傾斜面が形成されており、
前記傾斜面は、前記ロック解除面と接続している、
電線対基板コネクタ。
【請求項７】
請求項１〜６の何れかに記載の電線対基板コネクタであって、
前記側面対向部は、ロック片支持部と、前記ロック片支持部によって支持されるロック片と、を含んで構成されており、
前記ロック片は、前記ロック片支持部によって保持されるロック片被保持部と、前記プラグ側面に対向するロック片対向部と、を有する片持ち梁状に構成されており、
前記ロック片対向部は、前記プラグ側面から離れる方向に弾性変位可能であり、
前記レセプタクルロック面は、前記ロック片対向部に形成されている、
電線対基板コネクタ。
【請求項８】
請求項７に記載の電線対基板コネクタであって、
前記側面対向部は、前記ロック片対向部を挟んで前記基板の前記コネクタ搭載面と反対側に配置されることで、前記ロック片対向部が前記基板の前記コネクタ搭載面から離れる方向へ弾性変位するのを規制する変位規制部を有している、
電線対基板コネクタ。
【請求項９】
請求項７又は８に記載の電線対基板コネクタであって、
前記ロック片被保持部と前記ロック片対向部は、前記電線方向に延びて形成されている、
電線対基板コネクタ。
【請求項１０】
請求項９に記載の電線対基板コネクタであって、
前記ロック片被保持部の前記電線コネクタ方向側の端部と、前記ロック片対向部の前記電線コネクタ方向側の端部と、が連結されている、
電線対基板コネクタ。
【請求項１１】
請求項１〜１０の何れかに記載の電線対基板コネクタであって、
前記プラグハウジングには、前記電線が前記基板の前記コネクタ搭載面に近づくように前記プラグコネクタを傾けるための解除用突起が設けられている、
電線対基板コネクタ。
【請求項１２】
請求項１１に記載の電線対基板コネクタであって、
前記解除用突起は、前記プラグハウジングの前記電線コネクタ方向側の端部から、前記電線コネクタ方向に突出して形成されている、
電線対基板コネクタ。
【請求項１３】
電線が取り付けられるプラグコンタクトと、前記プラグコンタクトを保持するプラグハウジングと、を有するプラグコネクタと、
前記プラグコンタクトと対応するレセプタクルコンタクトと、前記レセプタクルコンタクトを保持するレセプタクルハウジングと、を有し、基板のコネクタ搭載面に搭載されるレセプタクルコネクタと、
を備え、
前記プラグコネクタを前記レセプタクルコネクタへ嵌合させることで、前記プラグコンタクトが前記レセプタクルコンタクトに接触する、電線対基板コネクタであって、
前記プラグコネクタが前記レセプタクルコネクタに嵌合された状態としての嵌合状態において、前記電線の前記プラグコネクタ近傍の部分である近傍部は、前記基板の前記コネクタ搭載面に沿って延びており、
前記プラグコネクタを前記レセプタクルコネクタへ嵌合させる方向としての嵌合方向は、前記基板の前記コネクタ搭載面に近づく方向であり、
前記プラグハウジングは、前記プラグハウジングの側面としてのプラグ側面を有し、
前記レセプタクルコネクタは、前記嵌合状態で、前記プラグ側面に対向する側面対向部を有し、
前記プラグ側面には、前記側面対向部側に突出する爪部が設けられており、
前記爪部は、前記基板の前記コネクタ搭載面から離れる方向を向くと共に、前記嵌合状態における前記近傍部の長手方向として特定される電線方向に延びるプラグロック面を有し、
前記レセプタクルコネクタの前記側面対向部は、前記基板の前記コネクタ搭載面に近づく方向を向くと共に、前記嵌合状態で前記プラグロック面と対向するレセプタクルロック面を有し、
前記プラグロック面は、前記電線方向のうち前記プラグコネクタから前記電線を見る方向としてのコネクタ電線方向側に配置されるロック維持面と、前記コネクタ電線方向と反対の方向である電線コネクタ方向側に配置されるロック解除面と、を有し、
前記ロック解除面は、前記プラグ側面から離れるにつれて前記基板の前記コネクタ搭載面に近づくように湾曲して形成されている、
電線対基板コネクタ。
【請求項１４】
電線が取り付けられるプラグコンタクトと、前記プラグコンタクトを保持するプラグハウジングと、を有するプラグコネクタと、
前記プラグコンタクトと対応するレセプタクルコンタクトと、前記レセプタクルコンタクトを保持するレセプタクルハウジングと、を有し、基板のコネクタ搭載面に搭載されるレセプタクルコネクタと、
を備え、
前記プラグコネクタを前記レセプタクルコネクタへ嵌合させることで、前記プラグコンタクトが前記レセプタクルコンタクトに接触する、電線対基板コネクタであって、
前記プラグコネクタが前記レセプタクルコネクタに嵌合された状態としての嵌合状態において、前記電線の前記プラグコネクタ近傍の部分である近傍部は、前記基板の前記コネクタ搭載面に沿って延びており、
前記プラグコネクタを前記レセプタクルコネクタへ嵌合させる方向としての嵌合方向は、前記基板の前記コネクタ搭載面に近づく方向であり、
前記プラグハウジングは、前記プラグハウジングの側面としてのプラグ側面を有し、
前記レセプタクルコネクタは、前記嵌合状態で、前記プラグ側面に対向する側面対向部を有し、
前記プラグ側面には、前記側面対向部側に突出する爪部が設けられており、
前記爪部は、前記基板の前記コネクタ搭載面から離れる方向を向くと共に、前記嵌合状態における前記近傍部の長手方向として特定される電線方向に延びるプラグロック面を有し、
前記レセプタクルコネクタの前記側面対向部は、前記基板の前記コネクタ搭載面に近づく方向を向くと共に、前記嵌合状態で前記プラグロック面と対向するレセプタクルロック面を有し、
前記プラグロック面は、前記電線方向のうち前記プラグコネクタから前記電線を見る方向としてのコネクタ電線方向側に配置されるロック維持面と、前記コネクタ電線方向と反対の方向である電線コネクタ方向側に配置されるロック解除面と、を有し、
前記電線方向に対して直交する断面において、前記プラグ側面のうち前記爪部よりも前記基板の前記コネクタ搭載面から遠い側の部分である基準面と前記ロック維持面との間の角度をロック維持角度θ１とし、前記基準面と前記ロック解除面との間の角度をロック解除角度θ２とすると、ロック維持角度θ１はロック解除角度θ２よりも小さく、
前記側面対向部は、ロック片支持部と、前記ロック片支持部によって支持されるロック片と、を含んで構成されており、
前記ロック片は、前記ロック片支持部によって保持されるロック片被保持部と、前記プラグ側面に対向するロック片対向部と、を有する片持ち梁状に構成されており、
前記ロック片対向部は、前記プラグ側面から離れる方向に弾性変位可能であり、
前記プラグハウジングの前記プラグ側面には、前記側面対向部の前記ロック片側に張り出した張り出し部を設けてあり、前記嵌合状態では前記張り出し部と前記ロック片対向部の弾性変位可能な部分とが接触している、
電線対基板コネクタ。
【発明の詳細な説明】
【技術分野】
【０００１】
本発明は、電線対基板コネクタに関する。
【背景技術】
【０００２】
この種の技術として、特許文献１は、本願の図２９に示すソケットコネクタ１００と、本願の図３０に示すベースコネクタ１０１と、を備えたコネクタを開示している。【０００３】
ソケットコネクタ１００は、ハウジング１０２と、ハウジング１０２に係止される複数のソケットコンタクト（不図示）と、を備えて構成されている。各ソケットコンタクトには、概ね前方に延びるリード線が取り付けられる。【０００４】
ベースコネクタ１０１は、プリント基板に対してハンダ接合により固定される。ベースコネクタ１０１は、ハウジング１０３と、ハウジング１０３に保持される複数のコンタクト１０４と、を備えて構成されている。ハウジング１０３には、プリント基板から離れる方向に開口する凹部１０５が形成されている。ソケットコネクタ１００は、ベースコネクタ１０１の凹部１０５に対して、プリント基板と直交する挿抜方向に沿って挿抜される。【０００５】
ソケットコネクタ１００のハウジング１０２の端面には、一対の係止片１０６が突出形成されている。ベースコネクタ１０１のハウジング１０３には、一対の嵌合溝１０７が形成されている。そして、ソケットコネクタ１００とベースコネクタ１０１の連結状態において、ソケットコネクタ１００のハウジング１０２の一対の係止片１０６が、ベースコネクタ１０１のハウジング１０３の一対の嵌合溝１０７と嵌合する。一対の係止片１０６と一対の嵌合溝１０７は、ソケットコネクタ１００がベースコネクタ１０１に係止された状態を維持するためのロック機構を構成している。
【先行技術文献】
【特許文献】
【０００６】
【特許文献１】特許第４０２０９０７号
【発明の概要】
【発明が解決しようとする課題】
【０００７】
しかし、上記特許文献１の構成では、リード線がプリント基板から離れる方向へ持ち上げられると、ソケットコネクタ１００がベースコネクタ１０１から外れてしまう虞があった。またその一方では、場面に応じてソケットコネクタ１００をベースコネクタ１０１から取り外したいという要望も潜在している。【０００８】
本願発明の目的は、電線が基板から離れる方向へ持ち上げられても嵌合状態を維持することができると共に、嵌合状態を意図的に解除可能なコネクタを提供することにある。
【課題を解決するための手段】
【０００９】
本願発明の第１の観点によれば、電線が取り付けられるプラグコンタクトと、前記プラグコンタクトを保持するプラグハウジングと、を有するプラグコネクタと、前記プラグコンタクトと対応するレセプタクルコンタクトと、前記レセプタクルコンタクトを保持するレセプタクルハウジングと、を有し、基板のコネクタ搭載面に搭載されるレセプタクルコネクタと、を備え、前記プラグコネクタを前記レセプタクルコネクタへ嵌合させることで、前記プラグコンタクトが前記レセプタクルコンタクトに接触する、電線対基板コネクタであって、前記プラグコネクタが前記レセプタクルコネクタに嵌合された状態としての嵌合状態において、前記電線の前記プラグコネクタ近傍の部分である近傍部は、前記基板の前記コネクタ搭載面に沿って延びており、前記プラグコネクタを前記レセプタクルコネクタへ嵌合させる方向としての嵌合方向は、前記基板の前記コネクタ搭載面に近づく方向であり、前記プラグハウジングは、前記プラグハウジングの側面としてのプラグ側面を有し、前記レセプタクルコネクタは、前記嵌合状態で、前記プラグ側面に対向する側面対向部を有し、前記プラグ側面には、前記側面対向部側に突出する爪部が設けられており、前記爪部は、前記基板の前記コネクタ搭載面から離れる方向を向くと共に、前記嵌合状態における前記近傍部の長手方向として特定される電線方向に延びるプラグロック面を有し、前記レセプタクルコネクタの前記側面対向部は、前記基板の前記コネクタ搭載面に近づく方向を向くと共に、前記嵌合状態で前記プラグロック面と対向するレセプタクルロック面を有し、前記プラグロック面は、前記電線方向のうち前記プラグコネクタから前記電線を見る方向としてのコネクタ電線方向側に配置されるロック維持面と、前記コネクタ電線方向と反対の方向である電線コネクタ方向側に配置されるロック解除面と、を有し、前記電線方向に対して直交する断面において、前記プラグ側面のうち前記爪部よりも前記基板の前記コネクタ搭載面から遠い側の部分である基準面と前記ロック維持面との間の角度をロック維持角度θ１とし、前記基準面と前記ロック解除面との間の角度をロック解除角度θ２とすると、ロック維持角度θ１はロック解除角度θ２よりも小さい、電線対基板コネクタが提供される。
好ましくは、ロック解除角度θ２は、９０度よりも大きい。
好ましくは、ロック維持角度θ１は、９０度以下である。
好ましくは、前記ロック解除面は、前記電線コネクタ方向に向かうにつれて前記プラグ側面に近づくように傾斜している。
好ましくは、前記ロック解除面は、前記ロック維持面の、前記プラグ側面から遠い側の縁に接続している。
好ましくは、前記爪部の前記電線コネクタ方向側の端部には、前記電線コネクタ方向に向かうにつれて前記プラグ側面に近づくように傾斜する傾斜面が形成されており、前記傾斜面は、前記ロック解除面と接続している。
好ましくは、前記側面対向部は、ロック片支持部と、前記ロック片支持部によって支持されるロック片と、を含んで構成されており、前記ロック片は、前記ロック片支持部によって保持されるロック片被保持部と、前記プラグ側面に対向するロック片対向部と、を有する片持ち梁状に構成されており、前記ロック片対向部は、前記プラグ側面から離れる方向に弾性変位可能であり、前記レセプタクルロック面は、前記ロック片対向部に形成されている。
好ましくは、前記側面対向部は、前記ロック片対向部を挟んで前記基板の前記コネクタ搭載面と反対側に配置されることで、前記ロック片対向部が前記基板の前記コネクタ搭載面から離れる方向へ弾性変位するのを規制する変位規制部を有している。
好ましくは、前記ロック片被保持部と前記ロック片対向部は、前記電線方向に延びて形成されている。
好ましくは、前記ロック片被保持部の前記電線コネクタ方向側の端部と、前記ロック片対向部の前記電線コネクタ方向側の端部と、が連結されている。
好ましくは、前記プラグハウジングには、前記電線が前記基板の前記コネクタ搭載面に近づくように前記プラグコネクタを傾けるための解除用突起が設けられている。
好ましくは、前記解除用突起は、前記プラグハウジングの前記電線コネクタ方向側の端部から、前記電線コネクタ方向に突出して形成されている。
本願発明の第２の観点によれば、電線が取り付けられるプラグコンタクトと、前記プラグコンタクトを保持するプラグハウジングと、を有するプラグコネクタと、前記プラグコンタクトと対応するレセプタクルコンタクトと、前記レセプタクルコンタクトを保持するレセプタクルハウジングと、を有し、基板のコネクタ搭載面に搭載されるレセプタクルコネクタと、を備え、前記プラグコネクタを前記レセプタクルコネクタへ嵌合させることで、前記プラグコンタクトが前記レセプタクルコンタクトに接触する、電線対基板コネクタであって、前記プラグコネクタが前記レセプタクルコネクタに嵌合された状態としての嵌合状態において、前記電線の前記プラグコネクタ近傍の部分である近傍部は、前記基板の前記コネクタ搭載面に沿って延びており、前記プラグコネクタを前記レセプタクルコネクタへ嵌合させる方向としての嵌合方向は、前記基板の前記コネクタ搭載面に近づく方向であり、前記プラグハウジングは、前記プラグハウジングの側面としてのプラグ側面を有し、前記レセプタクルコネクタは、前記嵌合状態で、前記プラグ側面に対向する側面対向部を有し、前記プラグ側面には、前記側面対向部側に突出する爪部が設けられており、前記爪部は、前記基板の前記コネクタ搭載面から離れる方向を向くと共に、前記嵌合状態における前記近傍部の長手方向として特定される電線方向に延びるプラグロック面を有し、前記レセプタクルコネクタの前記側面対向部は、前記基板の前記コネクタ搭載面に近づく方向を向くと共に、前記嵌合状態で前記プラグロック面と対向するレセプタクルロック面を有し、前記プラグロック面は、前記電線方向のうち前記プラグコネクタから前記電線を見る方向としてのコネクタ電線方向側に配置されるロック維持面と、前記コネクタ電線方向と反対の方向である電線コネクタ方向側に配置されるロック解除面と、を有し、前記ロック解除面は、前記プラグ側面から離れるにつれて前記基板の前記コネクタ搭載面に近づくように湾曲して形成されている、電線対基板コネクタが提供される。
本願発明の第２の観点によれば、電線が取り付けられるプラグコンタクトと、前記プラグコンタクトを保持するプラグハウジングと、を有するプラグコネクタと、前記プラグコンタクトと対応するレセプタクルコンタクトと、前記レセプタクルコンタクトを保持するレセプタクルハウジングと、を有し、基板のコネクタ搭載面に搭載されるレセプタクルコネクタと、を備え、前記プラグコネクタを前記レセプタクルコネクタへ嵌合させることで、前記プラグコンタクトが前記レセプタクルコンタクトに接触する、電線対基板コネクタであって、前記プラグコネクタが前記レセプタクルコネクタに嵌合された状態としての嵌合状態において、前記電線の前記プラグコネクタ近傍の部分である近傍部は、前記基板の前記コネクタ搭載面に沿って延びており、前記プラグコネクタを前記レセプタクルコネクタへ嵌合させる方向としての嵌合方向は、前記基板の前記コネクタ搭載面に近づく方向であり、前記プラグハウジングは、前記プラグハウジングの側面としてのプラグ側面を有し、前記レセプタクルコネクタは、前記嵌合状態で、前記プラグ側面に対向する側面対向部を有し、前記プラグ側面には、前記側面対向部側に突出する爪部が設けられており、前記爪部は、前記基板の前記コネクタ搭載面から離れる方向を向くと共に、前記嵌合状態における前記近傍部の長手方向として特定される電線方向に延びるプラグロック面を有し、前記レセプタクルコネクタの前記側面対向部は、前記基板の前記コネクタ搭載面に近づく方向を向くと共に、前記嵌合状態で前記プラグロック面と対向するレセプタクルロック面を有し、前記プラグロック面は、前記電線方向のうち前記プラグコネクタから前記電線を見る方向としてのコネクタ電線方向側に配置されるロック維持面と、前記コネクタ電線方向と反対の方向である電線コネクタ方向側に配置されるロック解除面と、を有し、前記電線方向に対して直交する断面において、前記プラグ側面のうち前記爪部よりも前記基板の前記コネクタ搭載面から遠い側の部分である基準面と前記ロック維持面との間の角度をロック維持角度θ１とし、前記基準面と前記ロック解除面との間の角度をロック解除角度θ２とすると、ロック維持角度θ１はロック解除角度θ２よりも小さく、前記側面対向部は、ロック片支持部と、前記ロック片支持部によって支持されるロック片と、を含んで構成されており、前記ロック片は、前記ロック片支持部によって保持されるロック片被保持部と、前記プラグ側面に対向するロック片対向部と、を有する片持ち梁状に構成されており、前記ロック片対向部は、前記プラグ側面から離れる方向に弾性変位可能であり、前記プラグハウジングの前記プラグ側面には、前記側面対向部の前記ロック片側に張り出した張り出し部を設けてあり、前記嵌合状態では前記張り出し部と前記ロック片対向部の弾性変位可能な部分とが接触している、電線対基板コネクタが提供される。
【発明の効果】
【００１０】
前記電線が前記基板の前記コネクタ搭載面から離れる方向へ持ち上げられて前記プラグコネクタが傾くと、前記ロック維持面が前記ロック解除面よりも優先的に前記レセプタクルロック面に接触する。一方で、前記電線が前記基板の前記コネクタ搭載面に近づくように前記プラグコネクタが意図的に傾けられると、前記ロック解除面が前記ロック維持面よりも優先的に前記レセプタクルロック面に接触する。従って、以上の構成によれば、前記電線が前記基板の前記コネクタ搭載面から離れる方向へ持ち上げられると前記プラグロック面と前記レセプタクルロック面との対向関係が解消されずに前記嵌合状態が維持され易く、前記電線が前記基板の前記コネクタ搭載面に近づくように前記プラグコネクタが意図的に傾けられると前記プラグロック面と前記レセプタクルロック面との対向関係が解消されて前記嵌合状態が解除され易くなる。これにより、前記電線が前記基板の前記コネクタ搭載面から離れる方向へ持ち上げられても嵌合状態を維持することができると共に、嵌合状態を意図的に解除可能な電線対基板コネクタが実現される。
【図面の簡単な説明】
【００１１】
【図１】図1は、電線対基板コネクタの嵌合状態を示す斜視図である。（第１実施形態）
【図２】図2は、電線対基板コネクタの非嵌合状態を示す斜視図である。（第１実施形態）
【図３】図3は、レセプタクルコネクタの斜視図である。（第１実施形態）
【図４】図4は、レセプタクルコネクタの別の角度から見た斜視図である。（第１実施形態）
【図５】図5は、レセプタクルハウジングの斜視図である。（第１実施形態）
【図６】図6は、レセプタクルハウジングの別の角度から見た斜視図である。（第１実施形態）
【図７】図7は、レセプタクルハウジングの更に別の角度から見た斜視図である。（第１実施形態）
【図８】図8は、図５のB部拡大図である。（第１実施形態）
【図９】図9は、図６のC部拡大図である。（第１実施形態）
【図１０】図10は、図７のD部拡大図である。（第１実施形態）
【図１１】図11は、補助金具の斜視図である。（第１実施形態）
【図１２】図12は、補助金具の別の角度から見た斜視図である。（第１実施形態）
【図１３】図13は、レセプタクルコネクタの組立説明図である。（第１実施形態）
【図１４】図14は、図１３のE部拡大図である。（第１実施形態）
【図１５】図15は、図３のA部拡大図である。（第１実施形態）
【図１６】図16は、レセプタクルコネクタの平面図である。（第１実施形態）
【図１７】図17は、複数の電線が取り付けられた状態のプラグコネクタの斜視図である。（第１実施形態）
【図１８】図18は、複数の電線が取り付けられた状態のプラグコネクタの別の角度から見た斜視図である。（第１実施形態）
【図１９】図19は、電線が取り付けられた状態のプラグコンタクトの斜視図である。（第１実施形態）
【図２０】図20は、図１７のF部拡大図である。（第１実施形態）
【図２１】図21は、爪部の断面をイメージした図である。（第１実施形態）
【図２２】図22は、図２１で特定される爪部の断面Xである。（第１実施形態）
【図２３】図23は、図２１で特定される爪部の断面Yである。（第１実施形態）
【図２４】図24は、図２１で特定される爪部の断面Zである。（第１実施形態）
【図２５】図25は、図１６のXXV-XXV線断面図に相当し、プラグコネクタがレセプタクルコネクタへ嵌合された状態を示している。（第１実施形態）
【図２６】図26は、図１６のXXV-XXV線断面図に相当し、プラグコネクタが意図的に傾けられた状態を示している。（第１実施形態）
【図２７】図27は、レセプタクルコネクタの変形例を示す斜視図である。
【図２８】図28は、ロック解除面の変形例を示す図である。
【図２９】図29は、特許文献１の図５に相当する図である。
【図３０】図30は、特許文献１の図６に相当する図である。
【図３１】図31は、第１実施形態の電線対基板コネクタの嵌合状態を示す平面図である。
【図３２】図32は、図３１のG部拡大図である。
【図３３】図33は、複数の電線が取り付けられた状態のプラグコネクタの部分斜視図である。（第２実施形態）
【図３４】図34は、図３２に相当する図である。（第２実施形態）
【図３５】図35は、複数の電線が取り付けられた状態のプラグコネクタの部分斜視図である。（第３実施形態）
【図３６】図36は、図３４に相当する図である。（第３実施形態）
【発明を実施するための形態】
【００１２】
＜第１実施形態＞
（電線対基板コネクタ１）
以下、図１〜図２６を参照しつつ、本願発明の第１実施形態を説明する。図１及び図２に示すように、電線対基板コネクタ１は、プラグコネクタ２とレセプタクルコネクタ３を備えて構成されている。
【００１３】
図２に示すように、プラグコネクタ２は、複数のプラグコンタクト４と、複数のプラグコンタクト４を保持するプラグハウジング５と、を有して構成されている。各プラグコンタクト４には、電線６が取り付けられている。
【００１４】
レセプタクルコネクタ３は、複数のレセプタクルコンタクト７と、複数のレセプタクルコンタクト７を保持するレセプタクルハウジング８と、一対の補助金具９（ロック片）と、を有して構成されている。各レセプタクルコンタクト７は、各プラグコンタクト４と対応している。レセプタクルコネクタ３は、回路基板１０（基板）のコネクタ搭載面１０ａに搭載されて用いられる。
【００１５】
そして、図１に示すようにプラグコネクタ２をレセプタクルコネクタ３へ嵌合させることで、各プラグコンタクト４が各レセプタクルコンタクト７に接触するようになっている。
【００１６】
ここで、「電線方向」及び「コネクタ高さ方向」、「コネクタ幅方向」を定義する。「電線方向」は、図１に示すようにプラグコネクタ２がレセプタクルコネクタ３に嵌合された状態としての嵌合状態において、電線６のプラグコネクタ２近傍の部分である近傍部６ａの長手方向として特定される方向である。本実施形態では、電線対基板コネクタ１が嵌合状態にあるとき、電線６の近傍部６ａは、回路基板１０のコネクタ搭載面１０ａに沿って延びている。従って、電線方向は、回路基板１０のコネクタ搭載面１０ａに対して平行であると言及できる。「電線方向」のうち、プラグコネクタ２から複数の電線６を見る方向をコネクタ電線方向とし、複数の電線６からプラグコネクタ２を見る方向を電線コネクタ方向とする。「コネクタ高さ方向」は、回路基板１０のコネクタ搭載面１０ａに対して直交する方向である。コネクタ高さ方向は、電線方向に対して直交している。「コネクタ高さ方向」のうち、回路基板１０のコネクタ搭載面１０ａに近づく方向を「基板近接方向」とし、回路基板１０のコネクタ搭載面１０ａから離れる方向を「基板離間方向」とする。「コネクタ幅方向」は、電線方向及びコネクタ高さ方向に対して直交する方向である。コネクタ幅方向は、回路基板１０のコネクタ搭載面１０ａに対して平行である。「コネクタ幅方向」のうち、電線対基板コネクタ１の中央に向かう方向を「コネクタ幅中央方向」とし、電線対基板コネクタ１の中央から離れる方向を「コネクタ幅反中央方向」とする。
【００１７】
以下の説明において、電線対基板コネクタ１の各構成要素を説明するに際しては、プラグコネクタ２がレセプタクルコネクタ３に嵌合された状態としての嵌合状態で定義した電線方向及びコネクタ高さ方向、コネクタ幅方向をそのまま利用するものとする。
【００１８】
図１及び図２に示すように、本実施形態においてプラグコネクタ２をレセプタクルコネクタ３へ嵌合させる方向としての嵌合方向Pは、回路基板１０のコネクタ搭載面１０ａに近づく方向である。詳しく言えば、嵌合方向Pは、回路基板１０のコネクタ搭載面１０ａに対して直交している。従って、嵌合方向Pは、基板近接方向に一致している。
【００１９】
複数の電線６は、コネクタ幅方向に並べて配置されている。同様に、複数のレセプタクルコンタクト７は、コネクタ幅方向に並べて配置されている。
【００２０】
（レセプタクルコネクタ３）
次に、図３〜図１６を参照して、レセプタクルコネクタ３を詳細に説明する。
【００２１】
図３及び図４に示すように、レセプタクルコネクタ３は、前述の通り、複数のレセプタクルコンタクト７と、複数のレセプタクルコンタクト７を保持するレセプタクルハウジング８と、一対の補助金具９と、を有して構成されている。
【００２２】
図５〜図７に示すように、レセプタクルハウジング８は、基板対向部１５、レセプタクルコンタクト保持部１６、一対の側部１７（ロック片支持部）によって構成されている。レセプタクルハウジング８を構成する基板対向部１５及びレセプタクルコンタクト保持部１６、一対の側部１７は、絶縁性を有する例えば樹脂などの素材によって一体的に形成されている。
【００２３】
基板対向部１５は、回路基板１０のコネクタ搭載面１０ａに対して平行となる平板であって、コネクタ幅方向に細長い矩形状に形成されている。
【００２４】
レセプタクルコンタクト保持部１６は、基板対向部１５の電線コネクタ方向側の端部に接続し、基板離間方向に突出しつつ、コネクタ幅方向に細長く延びる部分である。レセプタクルコンタクト保持部１６には、複数のレセプタクルコンタクト取付孔１８が形成されている。各レセプタクルコンタクト取付孔１８は、各レセプタクルコンタクト７をレセプタクルハウジング８に取り付けるための孔である。複数のレセプタクルコンタクト取付孔１８は、コネクタ幅方向に沿って所定の間隔で形成されている。複数のレセプタクルコンタクト取付孔１８は、レセプタクルコンタクト保持部１６のコネクタ幅方向における両端部１９の間に形成されている。各レセプタクルコンタクト取付孔１８は、レセプタクルコンタクト保持部１６を電線方向に貫通するように形成されている。即ち、各レセプタクルコンタクト取付孔１８は、電線コネクタ方向及びコネクタ電線方向に開口するように形成されている。両端部１９は、電線方向に対して直交する壁体である。
【００２５】
一対の側部１７は、基板対向部１５及びレセプタクルコンタクト保持部１６のコネクタ幅方向の両端部に接続し、コネクタ電線方向に突出して形成されている。一対の側部１７は、電線方向に沿って細長く形成されている。一対の側部１７は、電線対基板コネクタ１のコネクタ幅方向の中央を挟んで対称の形状であるから、一方についてのみ説明し、他方の説明は省略する。
【００２６】
図８〜図１０に示すように、側部１７は、位置決め溝側方区画壁部２０、位置決め溝前方区画壁部２１、圧入溝側方区画壁部２２、圧入溝前方区画壁部２３、圧入溝内方区画壁部２４、変位規制部２５によって構成されている。
【００２７】
位置決め溝側方区画壁部２０は、レセプタクルコンタクト保持部１６の端部１９のコネクタ幅反中央方向側の端部に接続し、コネクタ電線方向に延びる壁体である。位置決め溝側方区画壁部２０は、コネクタ幅方向に対して直交している。
【００２８】
位置決め溝前方区画壁部２１は、位置決め溝側方区画壁部２０のコネクタ電線方向側の端部に接続し、コネクタ幅中央方向に延びる壁体である。位置決め溝前方区画壁部２１は、電線方向に対して直交している。
【００２９】
レセプタクルコンタクト保持部１６の端部１９と、側部１７の位置決め溝側方区画壁部２０及び位置決め溝前方区画壁部２１によって位置決め溝４１が形成されている。レセプタクルコンタクト保持部１６の端部１９は、位置決め溝４１の電線コネクタ方向側を区画している。位置決め溝側方区画壁部２０は、位置決め溝４１のコネクタ幅反中央方向側を区画している。位置決め溝前方区画壁部２１は、位置決め溝４１のコネクタ電線方向側を区画している。
【００３０】
圧入溝側方区画壁部２２は、位置決め溝前方区画壁部２１のコネクタ幅反中央方向側の端部に接続し、コネクタ電線方向に延びる壁体である。圧入溝側方区画壁部２２は、コネクタ幅方向に対して直交している。
【００３１】
圧入溝前方区画壁部２３は、圧入溝側方区画壁部２２のコネクタ電線方向側の端部に接続し、コネクタ幅中央方向に延びる壁体である。圧入溝前方区画壁部２３は、電線方向に対して直交している。
【００３２】
圧入溝内方区画壁部２４は、圧入溝前方区画壁部２３のコネクタ幅中央方向の端部に接続し、電線コネクタ方向に延びる壁体である。圧入溝内方区画壁部２４は、コネクタ幅方向に対して直交している。
【００３３】
圧入溝側方区画壁部２２と圧入溝内方区画壁部２４によって圧入溝２６が形成されている。圧入溝側方区画壁部２２は、圧入溝２６のコネクタ幅反中央方向側を区画している。圧入溝内方区画壁部２４は、圧入溝２６のコネクタ幅中央方向側を区画している。圧入溝２６のコネクタ電線方向側は、圧入溝前方区画壁部２３によって区画されている。圧入溝２６は、基板離間方向に開口している。圧入溝２６は、電線方向に沿って細長く形成されている。
【００３４】
圧入溝内方区画壁部２４の電線コネクタ方向側の端部２４ａは、位置決め溝前方区画壁部２１に対して電線方向で対向している。圧入溝内方区画壁部２４の端部２４ａと位置決め溝前方区画壁部２１との間には、隙間ｇが形成されている。
【００３５】
変位規制部２５は、圧入溝内方区画壁部２４のコネクタ電線方向側の端部に接続し、コネクタ幅中央方向に突出して形成されている。図８〜図１０に示すように、変位規制部２５は、圧入溝内方区画壁部２４のコネクタ電線方向側の端部の基板離間方向寄りに接続している。変位規制部２５は、傾斜ガイド面２７と直立ガイド面２８、規制面２９を有している。傾斜ガイド面２７は、変位規制部２５のコネクタ幅中央方向側の端部の基板離間方向寄りにおいて、コネクタ幅中央方向へ向かうにつれて基板近接方向に向かうように傾斜した平面である。直立ガイド面２８は、傾斜ガイド面２７の基板近接方向側の縁に接続し、コネクタ幅方向に対して直交する面である。規制面２９は、直立ガイド面２８の基板近接方向側の縁に接続し、コネクタ高さ方向に対して直交する面である。
【００３６】
一対の補助金具９は、電線対基板コネクタ１のコネクタ幅方向の中央を挟んで対称の形状であるから、一方についてのみ説明し、他方の説明は省略する。
【００３７】
図１１及び図１２に示すように、補助金具９は、ロック片被保持部３０、ロック片対向部３１、ロック片連結部３２によって構成されている。補助金具９は、板金折り曲げによって形成されている。
【００３８】
ロック片被保持部３０は、レセプタクルハウジング８によって保持される部分である。ロック片被保持部３０は、電線方向に延びて形成されている。ロック片被保持部３０は、コネクタ幅方向に対して直交している。ロック片被保持部３０は、被圧入部３０ａとハンダ用脚部３３を有している。被圧入部３０ａは、基板近接方向に向かって棒状に突出して形成されている。ハンダ用脚部３３は、回路基板１０のコネクタ搭載面１０ａにハンダ付けされる部分である。
【００３９】
ロック片対向部３１は、電線方向に延びて形成されている。ロック片対向部３１は、コネクタ幅方向に対して直交している。ロック片対向部３１は、対向部本体３４と被規制突起３５を有して構成されている。
【００４０】
対向部本体３４は、電線方向に細長く延びて形成されている。対向部本体３４は、コネクタ幅方向に対して直交している。対向部本体３４には、コネクタ幅反中央方向で見て略矩形状となるロック孔３６が形成されている。ロック孔３６は、電線方向に細長く形成されている。ロック孔３６が形成されていることで、ロック孔３６の基板離間方向側には、ロック孔３６の基板離間方向側を区画するロック梁３７が形成されている。ロック梁３７は、レセプタクルロック面３８、プラグ対向面３９、組立ガイド面４０を有している。レセプタクルロック面３８は、回路基板１０のコネクタ搭載面１０ａに近づく方向を向く面である。レセプタクルロック面３８は、基板近接方向を向く平面である。レセプタクルロック面３８は、コネクタ高さ方向に対して直交している。レセプタクルロック面３８は、電線方向に細長く形成されている。プラグ対向面３９は、レセプタクルロック面３８のコネクタ幅中央方向側の縁に接続し、コネクタ幅中央方向を向く平面である。プラグ対向面３９は、コネクタ幅方向に対して直交している。組立ガイド面４０は、プラグ対向面３９の基板離間方向側の縁に接続し、基板近接方向に向かうにつれてコネクタ幅中央方向に向かうように傾斜する平面である。
【００４１】
被規制突起３５は、対向部本体３４のコネクタ電線方向側の端部の基板近接方向寄りに接続し、コネクタ電線方向に突出して形成された部分である。被規制突起３５は、基板離間方向を向く被規制面３５ａを有している。被規制面３５ａは、コネクタ高さ方向に対して直交している。
【００４２】
ロック片連結部３２は、ロック片被保持部３０の電線コネクタ方向側の端部と、ロック片対向部３１の電線コネクタ方向側の端部と、を連結する部分である。ロック片連結部３２は、ロック片被保持部３０の電線コネクタ方向側の端部に接続し、コネクタ幅中央方向に延びて形成されている。ロック片連結部３２は、電線方向に対して直交している。ロック片連結部３２のコネクタ幅中央方向側の端部は、ロック片対向部３１の電線コネクタ方向側の端部に接続している。
【００４３】
補助金具９は、ロック片被保持部３０、ロック片対向部３１、ロック片連結部３２を有することで、基板近接方向で見てＵ字を構成している。
【００４４】
（レセプタクルコネクタ３の組立）
次に、レセプタクルコネクタ３の組立方法を詳細に説明する。
【００４５】
先ず、図３〜図７に示すように、複数のレセプタクルコンタクト７をレセプタクルハウジング８のレセプタクルコンタクト保持部１６の複数のレセプタクルコンタクト取付孔１８に夫々圧入する。各レセプタクルコンタクト取付孔１８への各レセプタクルコンタクト７の圧入方向は、コネクタ電線方向である。各レセプタクルコンタクト７は、レセプタクルハウジング８に取り付けられた状態で、図３に示すようにコネクタ電線方向側に部分的に露出すると共に、図４に示すように基板近接方向側に部分的に露出している。
【００４６】
次に、図１３に示すように、一対の補助金具９をレセプタクルハウジング８の一対の側部１７に夫々取り付ける。具体的には、先ず、図１４に示す各補助金具９のロック片被保持部３０がレセプタクルハウジング８の各側部１７の圧入溝２６に挿入されるように、かつ、各補助金具９のロック片連結部３２がレセプタクルハウジング８の各側部１７の隙間ｇに挿入されるように、各補助金具９を各側部１７に対して位置決めする。このように各補助金具９を各側部１７に対して位置決めした上で、各補助金具９を基板近接方向に押し込む。
【００４７】
すると、各補助金具９のロック片被保持部３０は、レセプタクルハウジング８の各側部１７の圧入溝２６に挿入される。このとき、各補助金具９のロック片被保持部３０の被圧入部３０ａ（図１１及び図１２を併せて参照）がレセプタクルハウジング８の各側部１７の圧入溝２６内に形成された図示しない圧入孔に圧入される。各補助金具９のロック片連結部３２は、レセプタクルハウジング８の各側部１７の隙間ｇに挿入される。
【００４８】
また、各補助金具９のロック片対向部３１の被規制突起３５は、ロック片対向部３１の対向部本体３４のコネクタ幅中央方向への弾性変位を伴いながら、レセプタクルハウジング８の各側部１７の変位規制部２５の傾斜ガイド面２７にコネクタ幅中央方向へ乗り上げ、そして、変位規制部２５の直立ガイド面２８上を基板近接方向へ滑る。
【００４９】
各補助金具９を基板近接方向に更に押し込んでいくと、被規制突起３５は、やがて変位規制部２５を基板近接方向側へと乗り越え、補助金具９のバネ復元力により、図１５に示すようにコネクタ幅反中央方向へと変位する。図１５には、各補助金具９がレセプタクルハウジング８の各側部１７に取り付けられた状態を示している。図１５に示すように、各補助金具９は、レセプタクルハウジング８の各側部１７によって片持ち梁状に支持される。
【００５０】
図１５の状態で、変位規制部２５と被規制突起３５は、コネクタ高さ方向において対向している。詳しくは、図１０に示す変位規制部２５の規制面２９と、図１１に示す被規制突起３５の被規制面３５ａと、がコネクタ高さ方向において対向している。この変位規制部２５と被規制突起３５の対向関係により、図１５に示す補助金具９のロック片対向部３１が基板離間方向へ弾性変位するのが規制される。
【００５１】
また、図１６に示すように、各補助金具９をレセプタクルハウジング８の各側部１７に取り付けた状態で、各側部１７の圧入溝内方区画壁部２４と、各補助金具９のロック片対向部３１と、の間には隙間ｈが形成されている。従って、各補助金具９のロック片対向部３１のロック梁３７は、コネクタ幅反中央方向に弾性変位可能となっている。
【００５２】
本実施形態において、「側面対向部R」は、図１５に示すように、レセプタクルハウジング８の側部１７及び補助金具９に相当している。
【００５３】
（プラグコネクタ２）
次に、図１７〜図２４を参照して、プラグコネクタ２を詳細に説明する。
【００５４】
図１７及び図１８に示すプラグコネクタ２は、前述の通り、複数のプラグコンタクト４と、複数のプラグコンタクト４を保持するプラグハウジング５と、によって構成されている。
【００５５】
プラグハウジング５は、プラグハウジング本体５０と、解除用突起５１、一対の位置決め突起５２、一対の爪部５３によって構成されている。
【００５６】
プラグハウジング本体５０は、コネクタ高さ方向において薄肉の扁平体である。プラグハウジング本体５０は、基板近接方向で見て矩形状であって、コネクタ幅方向に細長く形成されている。プラグハウジング本体５０には、複数のプラグコンタクト取付孔５４が形成されている。複数のプラグコンタクト取付孔５４は、コネクタ幅方向に沿って所定の間隔で形成されている。各プラグコンタクト取付孔５４は、プラグハウジング本体５０を電線方向に貫通するように形成されている。即ち、各プラグコンタクト取付孔５４は、電線コネクタ方向及びコネクタ電線方向に開口するように形成されている。
【００５７】
プラグハウジング本体５０は、プラグハウジング本体５０の一対の側面としての一対のプラグ側面５０ａを有している。一対のプラグ側面５０ａは、電線方向とコネクタ高さ方向の何れの方向に対しても略平行な平面である。即ち、各プラグ側面５０ａは、コネクタ幅方向に対して略直交している。本実施形態において、一対のプラグ側面５０ａは、電線方向とコネクタ高さ方向の何れの方向に対しても平行である。一対のプラグ側面５０ａは、コネクタ幅方向に対して直交している。
【００５８】
図１９には、電線６の端部に取り付けられたプラグコンタクト４を示している。プラグコンタクト４は、レセプタクルコンタクト７を挟むようにレセプタクルコンタクト７に対して接触する一対の接触片４ａを有している。図１７及び図１８に示すように、複数のプラグコンタクト４は、コネクタ幅方向に並べて配置されている。そして、複数のプラグコンタクト４は、コネクタ幅方向において、一対のプラグ側面５０ａに挟まれている。換言すれば、一対のプラグ側面５０ａは、複数のプラグコンタクト４をコネクタ幅方向において挟んでいる。
【００５９】
図１７及び図１８に示すように、解除用突起５１は、プラグハウジング本体５０の電線コネクタ方向側の端部の基板離間方向寄りに接続し、電線コネクタ方向に向かって突出するように形成されている。解除用突起５１は、コネクタ幅方向に細長く形成されている。
【００６０】
一対の位置決め突起５２は、電線対基板コネクタ１のコネクタ幅方向の中央を挟んで対称の形状であるから、一方についてのみ説明し、他方の説明は省略する。位置決め突起５２は、プラグハウジング本体５０の電線コネクタ方向側の端部の、コネクタ幅方向における端部に接続し、コネクタ幅反中央方向に向かって突出するように形成されている。
【００６１】
一対の爪部５３は、電線対基板コネクタ１のコネクタ幅方向の中央を挟んで対称の形状であるから、一方についてのみ説明し、他方の説明は省略する。爪部５３は、プラグ側面５０ａのコネクタ電線方向寄りに接続し、プラグ側面５０ａからコネクタ幅反中央方向へ突出して形成されている。爪部５３は、電線方向に細長く形成されている。図２０に示すように、爪部５３は、縦断面形状が台形である角柱状であり、電線コネクタ方向側が部分的に切り落とされている。爪部５３は、プラグロック面６０、嵌合ガイド面６１、側方起立面６２、端部起立面６３、端部傾斜面６４（傾斜面）を有している。
【００６２】
プラグロック面６０は、回路基板１０のコネクタ搭載面１０ａから離れる方向を向くと共に、電線方向に細長く延びる面である。プラグロック面６０は、コネクタ電線方向側に配置されるロック維持面６５と、電線コネクタ方向側に配置されるロック解除面６６と、を有する。ロック維持面６５は、プラグ側面５０ａに接続し、コネクタ高さ方向に対して略直交する平面である。ロック解除面６６は、プラグ側面５０ａに接続し、基板離間方向に向かうにつれてコネクタ幅中央方向に向かうように傾斜し、且つ、電線コネクタ方向に向かうにつれてコネクタ幅中央方向に向かうように傾斜する平面である。ロック維持面６５とロック解除面６６は、相互に接続している。ロック維持面６５とロック解除面６６は、電線方向で隣り合っている。ロック維持面６５は、ロック解除面６６から見て、コネクタ電線方向側に配置されている。即ち、ロック解除面６６は、ロック維持面６５から見て、電線コネクタ方向側に配置されている。ロック解除面６６は、ロック維持面６５のプラグ側面５０ａから遠い側の縁６５ａに接続している。換言すれば、ロック解除面６６は、ロック維持面６５のコネクタ幅反中央方向側の縁６５ａに接続している。
【００６３】
嵌合ガイド面６１は、回路基板１０のコネクタ搭載面１０ａに近づく方向を向くと共に、電線方向に細長く延びる平面である。嵌合ガイド面６１は、基板近接方向に向かうにつれてコネクタ幅中央方向に向かうように傾斜している。
【００６４】
側方起立面６２は、コネクタ幅反中央方向を向くと共に、電線方向に細長く延びる平面である。側方起立面６２は、コネクタ幅方向に対して直交している。側方起立面６２は、プラグロック面６０及び嵌合ガイド面６１に接続している。側方起立面６２は、プラグロック面６０と嵌合ガイド面６１の間に形成されている。
【００６５】
端部起立面６３は、プラグ側面５０ａに接続し、コネクタ電線方向を向く平面である。端部起立面６３は、電線方向に対して直交している。端部起立面６３は、プラグロック面６０と嵌合ガイド面６１、側方起立面６２に接続している。
【００６６】
端部傾斜面６４は、プラグ側面５０ａに接続し、電線コネクタ方向及びコネクタ幅反中央方向を向く平面である。端部傾斜面６４は、電線コネクタ方向に向かうにつれてコネクタ幅中央方向に向かうように傾斜している。端部傾斜面６４は、プラグロック面６０のロック解除面６６と嵌合ガイド面６１、側方起立面６２に接続している。
【００６７】
プラグ側面５０ａは、図２０において二点鎖線で示す基準面Qを有している。基準面Qは、プラグ側面５０ａの一部である。基準面Qは、プラグ側面５０ａのうち爪部５３よりも回路基板１０のコネクタ搭載面１０ａから遠い側の部分である。基準面Qは、プラグ側面５０ａのうち爪部５３よりも基板離間方向側の部分である。
【００６８】
図２１には、爪部５３の３つの断面X、断面Y、断面Zを示している。断面Xは、断面Yよりもコネクタ電線方向側に位置している。断面Yは、断面Zよりもコネクタ電線方向側に位置している。断面X、断面Y、断面Zは、何れも電線方向に対して直交する断面である。以下、この断面X、断面Y、断面Zを利用して、爪部５３の形状を更に詳細に説明する。
【００６９】
図２２に示す断面Xでは、プラグロック面６０のうちロック維持面６５のみが現れている。図２３に示す断面Yでは、プラグロック面６０のうちロック維持面６５及びロック解除面６６の両方が現れている。換言すれば、断面Yにおいて、ロック維持面６５とロック解除面６６はコネクタ幅方向において隣り合っている。図２４に示す断面Zでは、プラグロック面６０のうちロック解除面６６のみが現れている。図２２に示す断面X及び図２３に示す断面Yでは、側方起立面６２が現れている。一方、図２４に示す断面Zでは、側方起立面６２に代えて端部傾斜面６４が現れている。
【００７０】
図２２に示すように、基準面Qとロック維持面６５の間の角度をロック維持角度θ１とする。図２３及び図２４に示すように、基準面Qとロック解除面６６の間の角度をロック解除角度θ２とする。本実施形態において、ロック維持角度θ１は、ロック解除角度θ２よりも小さい。具体的には、ロック維持角度θ１は、９０度以下である。好ましくは、ロック維持角度θ１は、７０〜９０度である。更に好ましくは、ロック維持角度θ１は、８０〜８５度である。本実施形態において、ロック維持角度θ１は、８５度である。また、ロック解除角度θ２は、９０度よりも大きい。好ましくは、ロック解除角度θ２は、９５〜１６５度である。更に好ましくは、ロック解除角度θ２は、１２０〜１５０度である。本実施形態においてロック解除角度θ２は、１３５度である。
【００７１】
（プラグコネクタ２の組立）
次に、プラグコネクタ２の組立方法を説明する。プラグコネクタ２を組み立てるには、図１９に示すように各電線６の端部に各プラグコンタクト４を取り付けた上で、各プラグコンタクト４を図１７に示すようにプラグハウジング５のプラグハウジング本体５０の各プラグコンタクト取付孔５４へ電線コネクタ方向に挿入する。すると、図示しないランスの作用によって、各プラグコンタクト４の各プラグコンタクト取付孔５４からの抜去が禁止される。
【００７２】
（電線対基板コネクタ１の嵌合方法）
次に、電線対基板コネクタ１の嵌合方法を説明する。プラグコネクタ２をレセプタクルコネクタ３へ嵌合するには、予め、図２に示すように、レセプタクルコネクタ３を回路基板１０のコネクタ搭載面１０ａに搭載しておく。具体的には、図１１に示す補助金具９のロック片被保持部３０のハンダ用脚部３３（図４も併せて参照）を回路基板１０のコネクタ搭載面１０ａ（図２を併せて参照）にハンダ付けする。また、図４の各レセプタクルコンタクト７のハンダ用脚部７ａを回路基板１０のコネクタ搭載面１０ａ（図２を併せて参照）にハンダ付けする。
【００７３】
次に、図２に示すように、プラグコネクタ２をレセプタクルコネクタ３へ向かって嵌合方向Pで降下させる。すると、以下のような挙動となる。
【００７４】
(1)図１７及び図１８に示すプラグハウジング５の一対の位置決め突起５２が、図３及び図８に示す一対の位置決め溝４１に夫々挿入される。これにより、プラグコネクタ２のレセプタクルコネクタ３に対する相対的な位置が調整される。換言すれば、一対の位置決め突起５２と一対の位置決め溝４１は、プラグコネクタ２のレセプタクルコネクタ３に対する位置決め効果を発揮する。プラグコネクタ２のレセプタクルコネクタ３に対する位置決め効果は、詳しくは、回路基板１０のコネクタ搭載面１０ａに対して平行な方向における、プラグコネクタ２のレセプタクルコネクタ３に対する位置決め効果を意味する。また、電線対基板コネクタ１の嵌合後では、一対の位置決め突起５２と一対の位置決め溝４１は、電線６をコネクタ電線方向に引っ張った際の、プラグコネクタ２のレセプタクルコネクタ３からの抜けを禁止する抜け止め効果を発揮する。
【００７５】
(2)図１８に示すようにプラグコネクタ２のプラグハウジング５に保持されている各プラグコンタクト４の一対の接触片４ａ（図１９を併せて参照）間に、図３に示す各レセプタクルコンタクト７が挿入される。これにより、各プラグコンタクト４の一対の接触片４ａは、レセプタクルコンタクト７を挟むようにレセプタクルコンタクト７に対して確実に接触する。
【００７６】
(3)図２に示すようにプラグコネクタ２をレセプタクルコネクタ３へ向かって降下させていくと、図１７に示す一対の位置決め突起５２と図３に示す一対の位置決め溝４１によって発揮されるプラグコネクタ２のレセプタクルコネクタ３に対する位置決め効果によって、図１７に示すプラグハウジング５の一対の爪部５３が、図１５に示す各補助金具９のロック片対向部３１のロック梁３７に対してコネクタ高さ方向において夫々対向する。そして、図２０に示す爪部５３の嵌合ガイド面６１が図１５に示すロック梁３７の組立ガイド面４０に接触する。この状態で、プラグコネクタ２をレセプタクルコネクタ３へ向かって押し込んでいくと、図２０に示す爪部５３の嵌合ガイド面６１と図１５に示すロック梁３７の組立ガイド面４０の存在により、爪部５３は、ロック梁３７をコネクタ幅反中央方向へ押し退け、ロック梁３７のプラグ対向面３９上を滑りながら降下する。やがて、爪部５３がロック梁３７を乗り越えると、補助金具９のバネ復元力によりロック片対向部３１がコネクタ幅中央方向へ復帰し、爪部５３はロック孔３６内に収容される。この結果、図２５に示すように、プラグコネクタ２のプラグハウジング５の爪部５３のプラグロック面６０が、レセプタクルコネクタ３の補助金具９のロック片対向部３１のロック梁３７のレセプタクルロック面３８に対して、コネクタ高さ方向で対向する。このプラグロック面６０とレセプタクルロック面３８とのコネクタ高さ方向における対向により、プラグコネクタ２のレセプタクルコネクタ３からの離脱が禁止される。
【００７７】
詳しくは、図２５に示す嵌合状態では、何らかの作業により複数の電線６が回路基板１０のコネクタ搭載面１０ａから離れる方向へ持ち上げられることがある。電線６が回路基板１０のコネクタ搭載面１０ａから離れる方向へ持ち上げられると、プラグハウジング５が時計回りでの回転を伴って傾く。プラグハウジング５が時計回りでの回転を伴って傾くと、ロック維持面６５がロック解除面６６よりも優先的にレセプタクルロック面３８に接触する。本実施形態においてロック維持面６５のロック維持角度θ１は、９０度以下に設定されている。従って、電線６が回路基板１０のコネクタ搭載面１０ａから離れる方向へ持ち上げられるとプラグロック面６０とレセプタクルロック面３８との対向関係が解消されずに嵌合状態が維持される。
【００７８】
（電線対基板コネクタ１の離脱方法）
一方で、図２６に示すように、プラグコネクタ２のプラグハウジング５の解除用突起５１に爪や工具、治具などを引っ掛けて、電線６が回路基板１０のコネクタ搭載面１０ａに近づくようにプラグコネクタ２が反時計回りでの回転を伴って意図的に傾けられると、ロック解除面６６がロック維持面６５よりも優先的にレセプタクルロック面３８に接触する。本実施形態においてロック解除面６６のロック解除角度θ２は、９０度より大きくなるように設定されている。従って、電線６が回路基板１０のコネクタ搭載面１０ａに近づくようにプラグコネクタ２が意図的に傾けられると、爪部５３が補助金具９のロック片対向部３１を押し退けようとする。このとき、図１５に示すように、ロック片対向部３１の被規制突起３５を挟んで回路基板１０のコネクタ搭載面１０ａと反対側に変位規制部２５が配置されているので、ロック片対向部３１が回路基板１０のコネクタ搭載面１０ａから離れる方向へ弾性変位するのは規制される。一方で、図１６に示すように、ロック片対向部３１と圧入溝内方区画壁部２４の間には隙間ｈが確保されている。従って、爪部５３が補助金具９のロック片対向部３１を押し退ける際、ロック片対向部３１は、基板離間方向には弾性変位せず、コネクタ幅反中央方向にのみ弾性変位することになる。そして、ロック片対向部３１のコネクタ幅反中央方向への弾性変位によって、プラグロック面６０とレセプタクルロック面３８との対向関係が解消され、電線対基板コネクタ１の嵌合状態が解除されることになる。
【００７９】
以上に、本願発明の好適な実施形態を説明したが、上記実施形態は、要するに、以下の特長を有している。
【００８０】
（１）電線対基板コネクタ１は、プラグコネクタ２とレセプタクルコネクタ３を備える。プラグコネクタ２は、電線６が取り付けられるプラグコンタクト４と、プラグコンタクト４を保持するプラグハウジング５と、を有する。レセプタクルコネクタ３は、プラグコンタクト４と対応するレセプタクルコンタクト７と、レセプタクルコンタクト７を保持するレセプタクルハウジング８と、を有する。レセプタクルコネクタ３は、回路基板１０（基板）のコネクタ搭載面１０ａに搭載される。プラグコネクタ２をレセプタクルコネクタ３へ嵌合させることで、プラグコンタクト４がレセプタクルコンタクト７に接触する。プラグコネクタ２がレセプタクルコネクタ３に嵌合された状態としての嵌合状態において、電線６のプラグコネクタ２近傍の部分である近傍部６ａは、回路基板１０のコネクタ搭載面１０ａに沿って延びている。プラグコネクタ２をレセプタクルコネクタ３へ嵌合させる方向としての嵌合方向Pは、回路基板１０のコネクタ搭載面１０ａに近づく方向である。プラグハウジング５は、プラグハウジング５の側面としてのプラグ側面５０ａを有する。レセプタクルコネクタ３は、嵌合状態で、プラグ側面５０ａに対向する側面対向部Rを有する。プラグ側面５０ａには、側面対向部R側に突出する爪部５３が設けられている。爪部５３は、回路基板１０のコネクタ搭載面１０ａから離れる方向を向くと共に、嵌合状態における近傍部６ａの長手方向として特定される電線方向に延びるプラグロック面６０を有する。レセプタクルコネクタ３の側面対向部Rのうち補助金具９は、回路基板１０のコネクタ搭載面１０ａに近づく方向を向くと共に、嵌合状態でプラグロック面６０と対向するレセプタクルロック面３８を有する。プラグロック面６０は、電線方向のうちプラグコネクタ２から電線６を見る方向としてのコネクタ電線方向側に配置されるロック維持面６５と、コネクタ電線方向と反対の方向である電線コネクタ方向側に配置されるロック解除面６６と、を有する。電線方向に対して直交する断面において、プラグ側面５０ａのうち爪部５３よりも回路基板１０のコネクタ搭載面１０ａから遠い側の部分である基準面Qとロック維持面６５との間の角度をロック維持角度θ１とし、基準面Qとロック解除面６６との間の角度をロック解除角度θ２とすると、ロック維持角度θ１はロック解除角度θ２よりも小さい。
【００８１】
即ち、電線６が回路基板１０のコネクタ搭載面１０ａから離れる方向へ持ち上げられてプラグコネクタ２が傾くと、ロック維持面６５がロック解除面６６よりも優先的にレセプタクルロック面３８に接触する。一方で、電線６が回路基板１０のコネクタ搭載面１０ａに近づくようにプラグコネクタ２が意図的に傾けられると、ロック解除面６６がロック維持面６５よりも優先的にレセプタクルロック面３８に接触する。従って、以上の構成によれば、電線６が回路基板１０のコネクタ搭載面１０ａから離れる方向へ持ち上げられるとプラグロック面６０とレセプタクルロック面３８との対向関係が解消されずに嵌合状態が維持され易く、電線６が回路基板１０のコネクタ搭載面１０ａに近づくようにプラグコネクタ２が意図的に傾けられるとプラグロック面６０とレセプタクルロック面３８との対向関係が解消されて前記嵌合状態が解除され易くなる。これにより、電線６が回路基板１０のコネクタ搭載面１０ａから離れる方向へ持ち上げられても嵌合状態を維持することができると共に、嵌合状態を意図的に解除可能な電線対基板コネクタ１が実現される。
【００８２】
なお、本実施形態においてレセプタクルロック面３８は、側面対向部Rのうち補助金具９に形成することとしたが、これに代えて、側面対向部Rのうち側部１７に形成してもよい。図２７に示す変形例では、側面対向部Rは補助金具９を有していない。側面対向部Rは側部１７によって構成されている。レセプタクルロック面３８は側部１７に形成されている。
【００８３】
（２）また、ロック解除角度θ２は、９０度よりも大きい。以上の構成によれば、電線６が回路基板１０のコネクタ搭載面１０ａに近づくようにプラグコネクタ２が意図的に傾けられた際に、プラグロック面６０とレセプタクルロック面３８との対向関係が一層解消され易くなる。
【００８４】
（３）また、ロック維持角度θ１は、９０度以下である。以上の構成によれば、電線６が回路基板１０のコネクタ搭載面１０ａから離れる方向へ持ち上げられた際に、プラグロック面６０とレセプタクルロック面３８との対向関係が一層解除され難くなる。
【００８５】
（４）また、ロック解除面６６は、電線コネクタ方向に向かうにつれてプラグ側面５０ａに近づくように傾斜している。以上の構成によれば、前記電線が前記基板の前記コネクタ搭載面に近づくように前記プラグコネクタが意図的に傾けられた際に、前記プラグロック面と前記レセプタクルロック面との対向関係が一層円滑に解消され易くなる。
【００８６】
（５）また、ロック解除面６６は、ロック維持面６５の、プラグ側面５０ａから遠い側の縁６５ａに接続している。以上の構成によれば、電線６が回路基板１０のコネクタ搭載面１０ａに近づくようにプラグコネクタ２が意図的に傾けられて、プラグロック面６０とレセプタクルロック面３８との対向関係が解消されるに際し、レセプタクルロック面３８がロック解除面６６とロック維持面６５との境界で引っ掛かってしまうのを回避することができる。
【００８７】
（６）また、爪部５３の電線コネクタ方向側の端部には、電線コネクタ方向に向かうにつれてプラグ側面５０ａに近づくように傾斜する端部傾斜面６４（傾斜面）が形成されている。端部傾斜面６４は、ロック解除面６６と接続している。以上の構成によれば、電線６が回路基板１０のコネクタ搭載面１０ａに近づくようにプラグコネクタ２が意図的に傾けられた際に、プラグロック面６０とレセプタクルロック面３８との対向関係が一層円滑に解消され易くなる。
【００８８】
（７）また、側面対向部Rは、側部１７（ロック片支持部）と、側部１７によって支持される補助金具９（ロック片）と、を含んで構成されている。補助金具９は、側部１７によって保持されるロック片被保持部３０と、プラグ側面５０ａに対向するロック片対向部３１と、を有する片持ち梁状に構成されている。ロック片対向部３１は、プラグ側面５０ａから離れる方向に弾性変位可能である。レセプタクルロック面３８は、ロック片対向部３１に形成されている。以上の構成によれば、電線６が回路基板１０のコネクタ搭載面１０ａに近づくようにプラグコネクタ２が意図的に傾けられた際に、レセプタクルロック面３８がロック解除面６６によってプラグ側面５０ａから離れる方向へ押し退けられることになるので、プラグロック面６０とレセプタクルロック面３８との対向関係が更に円滑に解消され易くなる。
【００８９】
（８）また、側面対向部Rのうち側部１７は、ロック片対向部３１の被規制突起３５を挟んで回路基板１０のコネクタ搭載面１０ａと反対側に配置されることで、ロック片対向部３１が回路基板１０のコネクタ搭載面１０ａから離れる方向へ弾性変位するのを規制する変位規制部２５を有している。以上の構成によれば、電線６が回路基板１０のコネクタ搭載面１０ａに近づくようにプラグコネクタ２が意図的に傾けられた際に、レセプタクルロック面３８がロック解除面６６によってプラグ側面５０ａから離れる方向へ速やかに押し退けられることになる。
【００９０】
なお、本実施形態において、変位規制部２５は側面対向部Rのうち側部１７に形成することとしたが、これに代えて、側面対向部Rのうち補助金具９の例えばロック片被保持部３０に形成することとしてもよい。
【００９１】
（９）また、ロック片被保持部３０とロック片対向部３１は、電線方向に延びて形成されている。以上の構成は、電線対基板コネクタ１の低背化に寄与する。
【００９２】
（１０）また、ロック片被保持部３０の電線コネクタ方向側の端部と、ロック片対向部３１の電線コネクタ方向側の端部と、が連結されている。
【００９３】
（１１）また、プラグハウジング５には、電線６が回路基板１０のコネクタ搭載面１０ａに近づくようにプラグコネクタ２を傾けるための解除用突起５１が設けられている。
【００９４】
（１２）そして、その解除用突起５１は、プラグハウジング５の電線コネクタ方向側の端部から、電線コネクタ方向に突出して形成されている。
【００９５】
以上に本願発明の好適な実施形態を説明したが、上記実施形態は例えば以下のように変更できる。
【００９６】
上記実施形態においてプラグロック面６０のロック解除面６６は平面によって構成したが、これに代えて、図２８に示すように、ロック解除面６６を、プラグ側面５０ａから離れるにつれて回路基板１０のコネクタ搭載面１０ａに近づくように湾曲する湾曲面として形成してもよい。図２８では、湾曲したロック解除面６６の断面形状をハッチングで示している。この場合でも、電線６が回路基板１０のコネクタ搭載面１０ａから離れる方向へ持ち上げられても嵌合状態を維持することができると共に、嵌合状態を意図的に解除可能な電線対基板コネクタ１が実現される。
【００９７】
また、レセプタクルコネクタ３を組み立てるに際し、各補助金具９を各側部１７に対して位置決めした上で、各補助金具９を基板近接方向に押し込むこととした。しかし、これに代えて、各補助金具９を基板離間方向に押し込むようにしてもよい。即ち、各補助金具９を各側部１７に取り付けるに際し、その取り付け方向は、基板近接方向に限定されることはない。
【００９８】
＜第２実施形態＞
以下、図３１〜図３４を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００９９】
図３１には、電線対基板コネクタ１の嵌合状態を示している。図３２は、図３１のG部拡大図である。
【０１００】
図３２に示すように、レセプタクルコネクタ３の補助金具９のロック片対向部３１は、片持梁状に支持されている。従って、ロック片対向部３１の根本に相当する、ロック片対向部３１のロック片連結部３２側の端部３１ａは、コネクタ幅反中央方向に殆ど弾性変位することができない。仮に、プラグコネクタ２をレセプタクルコネクタ３に嵌合させる際、プラグコネクタ２のプラグハウジング５のプラグハウジング本体５０がレセプタクルコネクタ３の補助金具９のロック片対向部３１のロック片連結部３２側の端部３１ａに接触してしまったとすると、上記のように端部３１ａはコネクタ幅反中央方向に殆ど弾性変位することができないので、プラグコネクタ２がレセプタクルコネクタ３へ嵌合することを著しく阻害することになる。
【０１０１】
そこで、上記第１実施形態では、このような問題を未然に防ぐべく、プラグコネクタ２のプラグハウジング５のプラグハウジング本体５０のプラグ側面５０ａと、レセプタクルコネクタ３の補助金具９のロック片対向部３１と、の間には、電線対基板コネクタ１の嵌合状態において隙間ｉが残るようにしている。
【０１０２】
しかし、この隙間ｉの存在により、図３２に示す電線対基板コネクタ１の嵌合状態において、レセプタクルコネクタ３内におけるプラグコネクタ２のプラグハウジング５のコネクタ幅方向での移動は許容されることになる。そして、レセプタクルコネクタ３内で、プラグコネクタ２のプラグハウジング５がコネクタ幅方向に移動してしまうと、図１５に示す補助金具９のロック片対向部３１のレセプタクルロック面３８と、図２０に示す爪部５３のプラグロック面６０のロック維持面６５と、のコネクタ高さ方向における対向関係が弱まり、この結果、プラグコネクタ２がレセプタクルコネクタ３から外れ易くなってしまうという問題が残されていた。
【０１０３】
そこで、図３３に示すように、本実施形態においてプラグコネクタ２のプラグハウジング５のプラグハウジング本体５０のプラグ側面５０ａには、側面対向部Rの補助金具９（ロック片）側に張り出した張り出し部８０を設けている。即ち、張り出し部８０は、プラグハウジング本体５０のプラグ側面５０ａからコネクタ幅反中央方向に突出して形成されている。そして、図３４に示す電線対基板コネクタ１の嵌合状態では、張り出し部８０とロック片対向部３１の弾性変位可能な部分とが接触している。以上の構成によれば、電線対基板コネクタ１の嵌合状態において、レセプタクルコネクタ３内におけるプラグコネクタ２のプラグハウジング５のコネクタ幅方向での移動は、レセプタクルコネクタ３の補助金具９のロック片対向部３１のコネクタ幅中央方向への弾性力Nによって抑制されることになる。この結果、図１５に示す補助金具９のロック片対向部３１のレセプタクルロック面３８と、図２０に示す爪部５３のプラグロック面６０のロック維持面６５と、のコネクタ高さ方向における対向関係が維持され、プラグコネクタ２がレセプタクルコネクタ３から外れ難くなる。
【０１０４】
具体的には、図３３に示すように、プラグコネクタ２のプラグハウジング５は、プラグハウジング本体５０と解除用突起５１、一対の位置決め突起５２、一対の爪部５３に加えて、一対の張り出し部８０を有している。張り出し部８０は、プラグ側面５０ａからコネクタ幅反中央方向に向かって突出して形成されている。張り出し部８０は、位置決め突起５２から極力離れた位置に形成されている。張り出し部８０は、コネクタ幅反中央方向を向く張り出し面８０ａを有している。張り出し面８０ａは、コネクタ幅方向に対して直交している。プラグハウジング本体５０のプラグ側面５０ａに張り出し部８０が形成されているので、張り出し部８０の張り出し面８０ａは、プラグハウジング本体５０のプラグ側面５０ａの一部と見做すことができる。爪部５３は、張り出し部８０に設けている。具体的には、爪部５３は、張り出し部８０の張り出し面８０ａに形成されている。爪部５３は、張り出し部８０の張り出し面８０ａからコネクタ幅反中央方向に突出して形成されている。
【０１０５】
そして、図３３に示すように、張り出し部８０が位置決め突起５２から極力離れた位置に形成されているので、図３４に示すように、電線対基板コネクタ１の嵌合状態において、張り出し部８０は、ロック片対向部３１の端部３１ａに対してコネクタ電線方向に離れている。この結果、電線対基板コネクタ１の嵌合状態では、張り出し部８０とロック片対向部３１の弾性変位可能な部分とが常に接触している。一方で、プラグ側面５０ａと、ロック片対向部３１の端部３１ａ近傍と、の間には、上述した隙間ｉが依然として存在している。従って、張り出し部８０を設けた本実施形態でも、上記第１実施形態と同様、プラグコネクタ２をレセプタクルコネクタ３に嵌合させる際、プラグコネクタ２のプラグハウジング５のプラグハウジング本体５０がレセプタクルコネクタ３の補助金具９のロック片対向部３１のロック片連結部３２側の端部３１ａに接触してしまうのを効果的に回避することができ、もって、プラグコネクタ２のレセプタクルコネクタ３への嵌合は妨げられない。
【０１０６】
＜第３実施形態＞
次に、図３５及び図３６を参照しつつ、本願発明の第３実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【０１０７】
図３５に示すように、本実施形態において、張り出し部８０の張り出し面８０ａは、第１張り出し面８０ｂと第２張り出し面８０ｃを有している。第１張り出し面８０ｂは、第２張り出し面８０ｃのコネクタ電線方向側の端部に接続している。即ち、第２張り出し面８０ｃは、第１張り出し面８０ｂの電線コネクタ方向側の端部に接続している。第１張り出し面８０ｂは、コネクタ幅反中央方向を向いている。第１張り出し面８０ｂは、コネクタ幅方向に対して直交している。第１張り出し面８０ｂは、爪部５３のプラグロック面６０のロック維持面６５のコネクタ電線方向側の端部に接続している。第２張り出し面８０ｃは、電線コネクタ方向に向うにつれてコネクタ幅中央方向に傾斜している。
【０１０８】
この構成で、図３６に示すように、プラグコネクタ２をレセプタクルコネクタ３に嵌合させると、張り出し部８０の第１張り出し面８０ｂのみがロック片対向部３１に対して常に接触し、張り出し部８０の第２張り出し面８０ｃはロック片対向部３１に対して接触しない。また、第１張り出し面８０ｂは、爪部５３のロック維持面６５のコネクタ電線方向側の端部に接続している。従って、張り出し部８０とロック片対向部３１との接触によりロック片対向部３１がコネクタ幅反中央方向にどの程度弾性変位しようとも、図１５に示す補助金具９のロック片対向部３１のレセプタクルロック面３８と、図２０に示す爪部５３のプラグロック面６０のロック維持面６５と、のコネクタ高さ方向における対向関係に影響を与えることがない。
【０１０９】
この出願は、2012年3月27日に出願された日本出願特願2012-072085を基礎とする優先権及び2012年11月9日に出願された日本出願特願2012-247408を基礎とする優先権を主張し、その開示の全てをここに取り込む。
【符号の説明】
【０１１０】
１  電線対基板コネクタ
２  プラグコネクタ
３  レセプタクルコネクタ
４  プラグコンタクト
４ａ  接触片
５  プラグハウジング
６  電線
６ａ  近傍部
７  レセプタクルコンタクト
７ａ  ハンダ用脚部
８  レセプタクルハウジング
９  補助金具（ロック片）
１０  回路基板（基板）
１０ａ  コネクタ搭載面
１５  基板対向部
１６  レセプタクルコンタクト保持部
１７  側部（ロック片支持部）
１８  レセプタクルコンタクト取付孔
１９  端部
２０  位置決め溝側方区画壁部
２１  位置決め溝前方区画壁部
２２  圧入溝側方区画壁部
２３  圧入溝前方区画壁部
２４  圧入溝内方区画壁部
２４ａ  端部
２５  変位規制部
２６  圧入溝
２７  傾斜ガイド面
２８  直立ガイド面
２９  規制面
３０  ロック片被保持部
３０ａ  被圧入部
３１  ロック片対向部
３１ａ  端部
３２  ロック片連結部
３３  ハンダ用脚部
３４  対向部本体
３５  被規制突起
３５ａ  被規制面
３６  ロック孔
３７  ロック梁
３８  レセプタクルロック面
３９  プラグ対向面
４０  組立ガイド面
４１  位置決め溝
５０  プラグハウジング本体
５０ａ  プラグ側面
５１  解除用突起
５２  位置決め突起
５３  爪部
５４  プラグコンタクト取付孔
６０  プラグロック面
６１  嵌合ガイド面
６２  側方起立面
６３  端部起立面
６４  端部傾斜面（傾斜面）
６５  ロック維持面
６５ａ  縁
６６  ロック解除面
８０  張り出し部
８０ａ  張り出し面
８０ｂ  第１張り出し面
８０ｃ  第２張り出し面
ｈ  隙間
ｉ  隙間
ｇ  隙間
N  弾性力
P  嵌合方向
Q  基準面
R  側面対向部
X  断面
Y  断面
Z  断面
θ１  ロック維持角度
θ２  ロック解除角度
【図１】
2013145527.tif 000003
【図２】
2013145527.tif 000004
【図３】
2013145527.tif 000005
【図４】
2013145527.tif 000006
【図５】
2013145527.tif 000007
【図６】
2013145527.tif 000008
【図７】
2013145527.tif 000009
【図８】
2013145527.tif 000010
【図９】
2013145527.tif 000011
【図１０】
2013145527.tif 000012
【図１１】
2013145527.tif 000013
【図１２】
2013145527.tif 000014
【図１３】
2013145527.tif 000015
【図１４】
2013145527.tif 000016
【図１５】
2013145527.tif 000017
【図１６】
2013145527.tif 000018
【図１７】
2013145527.tif 000019
【図１８】
2013145527.tif 000020
【図１９】
2013145527.tif 000021
【図２０】
2013145527.tif 000022
【図２１】
2013145527.tif 000023
【図２２】
2013145527.tif 000024
【図２３】
2013145527.tif 000025
【図２４】
2013145527.tif 000026
【図２５】
2013145527.tif 000027
【図２６】
2013145527.tif 000028
【図２７】
2013145527.tif 000029
【図２８】
2013145527.tif 000030
【図２９】
2013145527.tif 000031
【図３０】
2013145527.tif 000032
【図３１】
2013145527.tif 000033
【図３２】
2013145527.tif 000034
【図３３】
2013145527.tif 000035
【図３４】
2013145527.tif 000036
【図３５】
2013145527.tif 000037
【図３６】
2013145527.tif 000038
【国際調査報告】
2013145527.tif 000039
2013145527.tif 000040